(57)【要約】      （修正有）【課題】使用者がマスクを装着した状態において、使用者の外見が圧迫感を与えるものとなることを抑制するマスクを提供する。【解決手段】マスク１は、裏シート２と、表シート４と、複数の紐部６と、取付部と、を備える。裏シート２は、一方の表面が使用者Ｍの口と鼻とに接する。表シート４は、裏シート２と一部が接着し、使用者Ｍの頭部Ｈの前後方向Ｑにおいて裏シート２の前方に配置され使用者Ｍの口と鼻と頬とを覆う。複数の紐部６は、使用者Ｍの頭部Ｈに装着する。取付部は、紐部６を裏シート２に取り付けるとともに、使用者Ｍの頭部Ｈの幅方向Ｗにおいて表シート４の端部よりも内側に配置される。表シート４および裏シート２は、少なくとも取付部において分離して配置される。【選択図】図１
0003228806.tif 000002
【実用新案登録請求の範囲】
【請求項１】
一方の表面が使用者の口と鼻とに接する裏シートと、
前記裏シートと一部が接着し、前記使用者の頭部の前後方向において前記裏シートの前方に配置され前記使用者の口と鼻と頬を覆う表シートと、
前記使用者の頭部に装着する複数の紐部と、
前記紐部を前記裏シートに取り付ける取付部と、
を備え、
前記取付部は、前記使用者の頭部の幅方向において前記表シートの端部よりも内側に配置され、
前記表シートおよび前記裏シートは、少なくとも前記取付部において分離して配置される、
マスク。
【請求項２】
前記表シートは、前記裏シートよりも前記幅方向において大きく、
前記取付部は、前記裏シートの前記幅方向の端部に配置される、
請求項１に記載のマスク。
【請求項３】
前記表シートの前記幅方向における端部は、前記使用者に装着された状態で、前記頭部から前記前方に離間して配置され、
前記取付部は、前記使用者に装着された状態で、前記頭部に密着して配置される、
請求項１または２に記載のマスク。
【請求項４】
前記紐部は、前記取付部の前記幅方向と交差する高さ方向の上縁および下縁と離間して取付けられる、
請求項１から３のいずれか１項に記載のマスク。
【請求項５】
前記表シートは、少なくとも前記表シートの前記幅方向の端部および幅方向と交差する高さ方向の上縁を補強する補強部を有する、
請求項１から４のいずれか１項に記載のマスク。
【考案の詳細な説明】
【技術分野】
【０００１】
本開示は、使用者の口と鼻とを覆うマスクに関する。
【背景技術】
【０００２】
従来、使用者の口と鼻とを覆うシートと、本体を使用者の頭部に装着するための複数の紐部とを備えるマスクが知られている（例えば、特許文献１参照）。特許文献１のマスクでは、複数の紐部をシートに取り付ける取付部は、使用者の頭部の幅方向において、それぞれシートの上下左右の端部に配置されて、紐部をシートに接着する。
【先行技術文献】
【特許文献】
【０００３】
【特許文献１】特開２０１９−０１１５３４
【考案の概要】
【考案が解決しようとする課題】
【０００４】
しかし、特許文献１のマスクでは、マスクが使用者に装着された状態で、紐部が取付部を介してシートを引っ張り、シートが使用者の口と鼻とを覆うとともに顔面に密着する。そのため、特に取付部付近のシートと紐部とが使用者の顔面に張り付き、使用者の外見がマスクに圧迫される状態となる。このため、使用者の外見が周囲の人物に対して、息苦しく圧迫感のある印象を与えることがある。
【０００５】
本開示の課題は、使用者がマスクを装着した状態において、圧迫感のある外見となることを抑制できるマスクを提供することにある。
【課題を解決するための手段】
【０００６】
本開示にかかるマスクは、裏シートと、表シートと、複数の紐部と、取付部と、を備える。裏シートは、一方の表面が使用者の口と鼻とに接する。表シートは、裏シートと一部が接着し、使用者の頭部の前後方向において裏シートの前方に配置され使用者の口と鼻と頬とを覆う。複数の紐部は、使用者の頭部に装着する。取付部は、紐部を裏シートに取り付けるとともに、使用者の頭部の幅方向において表シートの端部よりも内側に配置される。表シートおよび裏シートは、少なくとも取付部において分離して配置される。
【０００７】
この構成によれば、マスクが使用者に装着された状態において、表シートが、使用者の頭部の前後方向において、裏シートの前方に配置されて、取付部を覆うことができる。これによって、マスクを前面から見た場合に、取付部付近の裏シートと紐部とが使用者の顔面に密着した状態を隠すことがきる。この結果、使用者がマスクを装着した状態において、圧迫感のある外見となることを抑制することができる。
【０００８】
表シートは、裏シートよりも幅方向において大きくてもよい。また、取付部は、裏シートの幅方向の端部に配置されてもよい。
【０００９】
この構成によれば、マスクが使用者に装着された状態において、裏シートで確実に使用者の口と鼻とを覆うことができる一方で、表シートが使用者の頭部に沿って密着せずに配置される。これによって、使用者の外見が表シートによってゆるやかに覆われた状態となるとともに、使用者の頭部を小さく見せる視覚効果を得ることができる。
【００１０】
表シートの幅方向における端部は、マスクが使用者に装着された状態で、頭部から前方に離間して配置されてもよい。取付部は、マスクが使用者に装着された状態において、頭部に密着して配置されてもよい。
【００１１】
この構成によれば、使用者がマスクを装着した状態において、使用者の頭部の幅方向の両端付近の輪郭を表シートによって隠すことができる一方で、裏シートによって確実に使用者の口と鼻とを覆う事ができる。これによって、使用者の頭部を小さく見せる視覚効果を得ることができる。
【００１２】
紐部は、取付部の幅方向と交差する高さ方向の上縁および下縁と離間して取り付けられてもよい。
【００１３】
この構成によれば、マスクが使用者に装着された状態において、取付部の周囲を表シートによって隠すことができる。
【００１４】
表シートは、少なくとも表シートの幅方向の端部および幅方向と交差する高さ方向の上縁を補強する補強部を有してもよい。
【００１５】
この構成によれば、マスクが使用者に装着された状態において、表シートの形状を保持することができる。これによって、使用者の外見が表シートによってゆるやかに覆われた状態とすることができる。
【考案の効果】
【００１６】
本開示によれば、使用者がマスクを装着した状態において、圧迫感のある外見となることを抑制できる。
【図面の簡単な説明】
【００１７】
【図１】本開示の実施形態によるマスクを使用者の頭部に装着した状態の概念図。
【図２】本開示の実施形態によるマスクの正面概念図。
【図３】本開示の実施形態によるマスクの後面概念図。
【図４】本開示の実施形態によるマスクの高さ方向中央付近の上面断面概念図。
【図５】本開示の実施形態によるマスクの六面図図。
【図６】本開示の他の実施形態によるマスクの正面図。
【考案を実施するための形態】
【００１８】
以下、本開示の一実施形態について、図面を参照しながら説明する。なお、以下明細書において、本開示の実施形態によるマスクの使用者の頭部およびマスクの幅方向をＷと図面に記し、使用者からみて右側をＲと記す。また、使用者の頭部およびマスクの前後方向をＱと図面に記し、前方をＦと記す。また、前後方向Ｑおよび幅方向Ｗと交差する高さ方向をＧと図面に記し、高い方をＵと記す。
【００１９】
図１および図２に示すように、マスク１は、裏シート２と、表シート４と、複数の紐部６と、取付部８と、を備える。マスク１は、使用者Ｍの頭部Ｈに装着された状態で、少なくとも口と鼻とを覆い、使用者Ｍの飛沫が周囲に飛散することを防止するとともに、口や鼻の粘膜を介して外気から病原菌が体内に侵入することを抑制する。
【００２０】
裏シート２は、一方の表面２１が使用者Ｍの口と鼻とに接する。本実施形態では、裏シート２は、通気性のある布素材によって形成され、使用者Ｍに装着された状態で、使用者Ｍの頭部Ｈの形状に沿って密着し、使用者Ｍの少なくとも口と鼻とを覆う。
【００２１】
表シート４は、使用者Ｍの口と鼻と頬とを覆う。表シート４は、裏シート２と一部が接着し、使用者Ｍの頭部Ｈの前後方向Ｑにおいて裏シート２の前方に配置される。これによって、使用者Ｍに装着された状態において、裏シート２と表シート４とは一体となって、使用者Ｍの頭部Ｈの一部を覆うことができる。本実施形態では、表シート４は、裏シート２と異なる布素材によって形成され、表シート４の裏シート２とは反対側の表面（前面）４１は、使用者Ｍの外見の一部となる。表シート４の表面４１には、模様や刺繍などのデザインが施されてもよい。
【００２２】
表シート４は、裏シート２よりも幅方向Ｗにおいて大きい。より具体的には、表シート４は少なくとも幅方向Ｗにおいて、裏シート２を覆うように形成される。これによって、使用者Ｍに装着された状態において、表シート４は、裏シート２および裏シート２に配置される取付部８を覆った状態とすることができる。このため、使用者Ｍの外見は、表シート４と複数の紐部６の一部とが見えた状態となる一方で、裏シート２は、表シート４によって、取付部８をも含めて隠された状態とすることができる。
【００２３】
表シート４の幅方向Ｗにおける端部１０は、使用者Ｍに装着された状態で、頭部Ｈから前方Ｆに離間して配置される。これによって、使用者Ｍに装着された状態において、表シート４と裏シート２とが接着される箇所では、表シート４は、裏シート２と一体となって、使用者Ｍの頭部Ｈの形状に沿って形状を変化させて、使用者Ｍの口と鼻とを覆うことができる。一方で、表シート４の幅方向Ｗの端部１０は、使用者Ｍの頭部Ｈに密着せずに配置することができる。このため、表シート４の端部１０は、使用者Ｍの頭部Ｈの特に幅方向Ｗの輪郭を緩やかに覆うことができる。この結果、使用者Ｍがマスク１を装着した状態において、頭部Ｈの幅方向Ｗの輪郭が隠されて、頭部Ｈの大きさを小さく見せる視覚効果（小顔効果）を得ることができる。
【００２４】
図３に示すように、表シート４は、補強部１２を有する。補強部１２は、少なくとも表シート４の幅方向Ｗの端部１０および幅方向Ｗと交差する高さ方向Ｇの上縁を補強する。本実施形態では、補強部１２は、表シート４の上縁４ａと、幅方向Ｗの端部１０が後方に向かって折り曲げられ、ループを形成することによって形成される。しかし、補強部１２は、上縁４ａと、幅方向端部４ｂに形状記憶合金を接着することによって形成してもよい。
【００２５】
図３および図４に示すように、裏シート２および表シート４は、少なくとも取付部８において分離して配置される。本実施形態では、取付部８の内側端部８ａから幅方向Ｗの内側に離間した位置Ｘから、裏シート２と表シート４とが接着される。裏シート２と表シート４との接着は、少なくとも裏シート２の上縁２ａと下縁２ｂが表シート４と接着すればよく、接着の方法は縫い合わせや、溶着などであってもよい。一方、位置Ｘから外側は、裏シート２および表シート４は分離される。このように、取付部８が表シート４と分離されることで、マスク１が使用者Ｍに装着された場合、取付部８が紐部６に引っ張られることによって発生するシワが、表シート４に伝染することを抑制できる。
【００２６】
複数の紐部６は、使用者Ｍの頭部Ｈに装着される。紐部６は、取付部８の幅方向Ｗと交差する高さ方向Ｇの上縁および下縁と離間して取り付けられる。取付部８の紐部６と裏シート２との固定部周囲を表シートによって隠すことができる。さらに、このような紐部６の取り付けによれば、取付部８の上下が紐部６に引っ張られず、取付部８にシワが発生し難い。この結果、取付部８に発生するシワが表シート４に伝染することをさらに抑制できる。
【００２７】
取付部８は、紐部６を裏シート２に取り付ける。また、取付部８は、使用者Ｍの頭部Ｈの幅方向Ｗにおいて表シート４の端部１０よりも内側に配置される。取付部８は、使用者Ｍに装着された状態で、頭部Ｈに密着して配置される（図１参照）。
【００２８】
このようなマスク１によれば、図５の正面図、右側面図、左側面図に示すように、表シート４が、前後方向において、裏シート２の前方に配置されて、取付部８を覆うことができる。これによって、取付部８付近の裏シート２と紐部６とが使用者Ｍの顔面に密着した状態を隠すことができる。すなわち、本実施形態のマスク１は、正面から見ると表シート４および紐部６の一部しか見えない。この結果、使用者がマスクを装着した状態において、外見上の圧迫感がない。
【００２９】
さらに、表シート４は、鼻と口と頬まで覆い、使用者Ｍの頭部Ｈに沿って密着せずに配置される。これによって、使用者Ｍの顔面の輪郭が表シート４によってゆるやかに覆われた状態となるとともに、使用者の頭部Ｈを小さく見せる視覚効果を得やすい。また、補強部１２によって、表シート４の形状を保持するため、視覚的効果を維持しやすい。
【００３０】
一方、図５の背面図、平面図、および底面図に示すように表シート４および裏シート２は、少なくとも取付部８において分離して配置される。これによって、裏シート２は、確実に使用者Ｍの口と鼻とを覆い、使用者Ｍの顔面と密着する。この結果、マスク１としての機能を確保しやすい。
【００３１】
図６は、本開示の他の実施形態によるマスク１００である。マスク１００は、本実施形態のマスク１に対して、表シート４の幅方向端部１１０の形状が波形に変更されたマスク１００である。このようなマスク１００であっても、裏シート２が顔面と密着するため、少なくとも、取付部１０８よりも幅方向外側は自由な形状にできる。これによって、取付部１０８はマスク１００としての機能を確保しながらも、使用者がマスク１００を装着した状態において、使用者Ｍの外見が圧迫感を与えるものとなることを抑制するとともに、表シート１０４の意匠性が高いマスク１００が提供できる。
【００３２】
以上説明した通り、本開示によれば、使用者Ｍがマスク１，１００を装着した状態において、圧迫感のある外見となることを抑制できる。
【符号の説明】
【００３３】
１（１００）：マスク  ２：裏シート  ２ａ：上縁  ２ｂ：下縁
４（１０４）：表シート  ４１：前面（表面）
４ａ：上縁  ４ｂ：幅方向端部（端部）
６：紐部  ８（１０８）：取付部  １０：端部  １２：補強部  Ｘ：位置
Ｍ：使用者  Ｈ：頭部
Ｗ：幅方向  Ｒ：右側  Ｑ：前後方向  Ｆ：前方  Ｇ：高さ方向
【図１】
0003228806.tif 000003
【図２】
0003228806.tif 000004
【図３】
0003228806.tif 000005
【図４】
0003228806.tif 000006
【図５】
0003228806.tif 000007
【図６】
0003228806.tif 000008